(57)【特許請求の範囲】
【請求項１】
ユーザ端末とネットワークを介して接続される管理サーバであって、
複数の電子書籍の何れかを選択可能なタイトル選択画面を前記ユーザ端末に提供するタイトル選択画面提供部と、
前記電子書籍を朗読する複数の声優の何れかを選択可能な声優選択画面を前記ユーザ端末に提供する声優選択画面提供部と、
前記ユーザ端末で選択された前記電子書籍を前記ユーザ端末で選択された前記声優が音読する録音データを、前記ユーザ端末に提供する電子書籍画面提供部と、
を有し、
前記電子書籍画面提供部は、前記ユーザ端末で前記電子書籍の内容が表示され、かつ、前記ユーザ端末に前記録音データを提供中に、前記声優の前記録音データを、他の前記声優の録音データに変更可能な声優変更画面を、前記ユーザ端末に提供する、管理サーバ。
【請求項２】
請求項１記載の管理サーバであって、
前記声優選択画面提供部は、前記ユーザ端末で、今回、選択されている前記電子書籍について、過去の所定期間内に選択された回数が所定回数以上である前記声優を推薦する前記声優選択画面を、前記ユーザ端末に提供する、管理サーバ。
【請求項３】
請求項１または２記載の管理サーバであって、
前記声優選択画面提供部は、前記ユーザ端末で、今回、選択されている前記電子書籍について、複数の前記ユーザ端末で過去に所定期間内に選択された回数が所定回数以上である前記声優を推薦する前記声優選択画面を、前記ユーザ端末に提供する、管理サーバ。
【請求項４】
請求項１乃至３の何れか１項記載の管理サーバであって、
前記声優選択画面提供部は、複数の前記声優がそれぞれ前記電子書籍を朗読する前記録音データの一部を再生可能な前記声優選択画面を、前記ユーザ端末に提供する、管理サーバ。
【請求項５】
請求項１乃至４の何れか１項記載の管理サーバであって、
前記電子書籍画面提供部は、前記ユーザ端末で前記電子書籍の内容が表示され、かつ、前記ユーザ端末で前記録音データの再生中に、前記電子書籍を朗読する前記声優の映像を表示する電子書籍画面を、前記ユーザ端末に提供する、管理サーバ。
【請求項６】
ユーザ端末と管理サーバとがネットワークを介して接続されている電子書籍提供方法であって、
前記管理サーバが、複数の電子書籍の何れかを選択可能なタイトル選択画面を前記ユーザ端末に提供する第１ステップと、
前記管理サーバが、前記電子書籍を朗読する複数の声優の何れかを選択可能な声優選択画面を前記ユーザ端末に提供する第２ステップと、
前記管理サーバが、前記ユーザ端末で選択された前記電子書籍を、前記ユーザ端末で選択された前記声優が音読する録音データを、前記ユーザ端末に提供する第３ステップと、
前記ユーザ端末で前記電子書籍の内容が表示され、かつ、前記ユーザ端末で前記録音データの再生中に、前記電子書籍を朗読する前記声優の前記録音データを、他の前記声優の前記録音データに変更可能な声優変更画面を、前記ユーザ端末に提供する第４ステップと、
を有する、電子書籍提供方法。
【発明の詳細な説明】
【技術分野】
【０００１】
本開示は、管理サーバおよび電子書籍提供方法に関する。
【背景技術】
【０００２】
従来、母親が子供（幼児）に絵本等を読み聞かせようとすると、それに手間が取られ、他の家事に集中できないという問題があった。また、深刻な保育士不足の問題があった。
【０００３】
例えば、特許文献１には、電子書籍と通信接続する通信部と、電子書籍データを記憶する記憶部と、前記記憶部から電子書籍データを入力し音声信号に変換して出力する音声出力部と、前記通信部、前記記憶部及び前記音声出力部を制御する制御部とを有し、前記制御部は、前記通信部を介して前記電子書籍から書籍データと電子しおりのデータとを読み出して前記記憶部に保存し、読み上げ開始時に前記電子しおりのデータに基づいて読み上げ開始位置を設定し、読み上げ終了時には前記電子書籍に前記電子しおりのデータとして、読み上げ終了位置を示すデータと読み上げた日時を示すデータとを書き込むことを特徴とする電子書籍読み上げ装置が開示されている。
【先行技術文献】
【特許文献】
【０００４】
【特許文献１】特開２００６−５３７３９号公報
【発明の概要】
【発明が解決しようとする課題】
【０００５】
本願発明者は、特許文献１に記載されている電子書籍読み上げ装置では、書籍データの音声出力中に、音声と電子書籍の内容とが、ユーザのイメージに合わないような場合についての記述が無く、その点で改善の余地があった。
【０００６】
本開示の目的は、電子書籍を朗読する声優の録音データをユーザ端末へ提供中に、電子書籍の内容と、再生される録音データとがユーザのイメージに合うように、声優を変更可能な管理サーバおよび電子書籍提供方法を提供することである。
【課題を解決するための手段】
【０００７】
本開示の管理サーバは、ユーザ端末とネットワークを介して接続される管理サーバであって、複数の電子書籍の何れかを選択可能なタイトル選択画面を前記ユーザ端末に提供するタイトル選択画面提供部と、前記電子書籍を朗読する複数の声優の何れかを選択可能な声優選択画面を前記ユーザ端末に提供する声優選択画面提供部と、前記ユーザ端末で選択された前記電子書籍を前記ユーザ端末で選択された前記声優が音読する録音データを、前記ユーザ端末に提供する電子書籍画面提供部と、を有し、前記電子書籍画面提供部は、前記ユーザ端末で前記電子書籍の内容が表示され、かつ、前記ユーザ端末に前記録音データの提供中に、前記声優の録音データを他の前記声優の録音データに変更可能な声優変更画面を、前記ユーザ端末に提供する。
【０００８】
また、本開示の電子書籍提供方法は、ユーザ端末と管理サーバとがネットワークを介して接続されている電子書籍提供方法であって、前記管理サーバが、複数の電子書籍の何れかを選択可能なタイトル選択画面を前記ユーザ端末に提供する第１ステップと、前記管理サーバが、前記電子書籍を朗読する複数の声優の何れかを選択可能な声優選択画面を前記ユーザ端末に提供する第２ステップと、前記管理サーバが、前記ユーザ端末で選択された前記電子書籍を、前記ユーザ端末で選択された前記声優が音読する録音データを、前記ユーザ端末に提供する第３ステップと、前記ユーザ端末で前記電子書籍の内容が表示され、かつ、前記ユーザ端末で前記録音データの再生中に、前記電子書籍を朗読する前記声優の録音データを、他の前記声優の録音データに変更可能な声優変更画面を、前記ユーザ端末に提供する第４ステップと、を有する。
【発明の効果】
【０００９】
本開示によれば、電子書籍の録音データの再生中に、電子書籍の内容と、再生される録音データとが、ユーザのイメージに合うように、声優を変更可能である。
【図面の簡単な説明】
【００１０】
【図１】本発明の一実施の形態における電子書籍提供システムの構成例の概要を示す図である。
【図２】本発明の一実施の形態における管理サーバのユーザ情報記憶部に記憶されているユーザ情報および希望データおよび履歴データの概要を示す図である。
【図３】本発明の一実施の形態における管理サーバの販売者情報記憶部に記憶されている販売者情報および電子書籍データおよび録音データの概要を示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における販売者情報取得処理および販売者情報記憶処理の概要を示す図である。
【図７】本発明の一実施の形態におけるタイトル選択画面の概要を示す図である。
【図８】本発明の一実施の形態におけるタイトル選択画面生成処理の概要を示す図である。
【図９】本発明の一実施の形態におけるタイトル選択画面提供処理の概要を示す図である。
【図１０】本発明の一実施の形態における声優選択画面の概念を示す図である。
【図１１】本発明の一実施の形態における声優選択画面生成処理の概要を示す図である。
【図１２】本発明の一実施の形態における声優選択画面提供処理の概要を示す図である。
【図１３】本発明の一実施の形態における電子書籍画面の概念を示す図である。
【図１４】本発明の一実施の形態における電子書籍画面生成処理の概要を示す図である。
【図１５】本発明の一実施の形態における電子書籍画面提供処理の概要を示す図である。
【図１６】本発明の一実施の形態における電子書籍画面提供処理の概要を示す図である。
【図１７】図１５における工程Ｓ１５０７において、ユーザ端末のディスプレに表示される画面の例を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
【００１２】
＜システム構成＞
図１は、本発明の一実施の形態における電子書籍システム１０の構成例の概要を示す図である。
【００１３】
図１に示されるように、電子書籍システム１０は、ユーザ端末１００と、販売者端末１１０と、ユーザ端末１００および販売者端末１１０とネットワークを介して接続される管理サーバ１２０とを有する。ユーザ端末１００は、ユーザによって操作され、ユーザ端末１００は、ディスプレイ１００Ａ及び出力部１００Ｂを有する。ディスプレイ１００Ａは、画面、情報等を表示する表示部であり、ディスプレイ１００Ａは、液晶ディスプレイ、例えば、透過型液晶ディスプレイ、反射型液晶ディスプレイ等を含む。出力部１００Ｂは、音声を出力する機構であり、出力部１００Ｂは、スピーカー、イヤホン等を含む。また、異なるユーザにより操作される複数のユーザ端末１００が、管理サーバ１２０にそれそれ別々に接続可能である。
【００１４】
管理サーバ１２０は、制御回路２０と、ユーザ情報記憶部１３０と、販売者情報記憶部１３１と、履歴データ記憶部１３２と、電子書籍データ記憶部１３３と、録音データ記憶部１３４と、タイトル選択画面生成部１４０と、タイトル選択画面提供部１５０と、声優選択画面生成部１６０と、声優選択画面提供部１７０と、電子書籍画面生成部１８０と、電子書籍画面提供部１９０と、を有する。
【００１５】
制御回路２０は、入力ポート、出力ポート、中央演算処理装置、比較回路等を有するコンピュータである。制御回路２０と、ユーザ情報記憶部１３０、販売者情報記憶部１３１、履歴データ記憶部１３２、電子書籍データ記憶部１３３、録音データ記憶部１３４、タイトル選択画面生成部１４０、タイトル選択画面提供部１５０、声優選択画面生成部１６０、声優選択画面提供部１７０、電子書籍画面生成部１８０、電子書籍画面提供部１９０との間で信号、データ等の行き来が行われる。制御回路２０は、ユーザ情報記憶部１３０、販売者情報記憶部１３１、履歴データ記憶部１３２、電子書籍データ記憶部１３３、録音データ記憶部１３４、タイトル選択画面生成部１４０、タイトル選択画面提供部１５０、声優選択画面生成部１６０、声優選択画面提供部１７０、電子書籍画面生成部１８０、電子書籍画面提供部１９０を制御、管理及び監視する。
【００１６】
ユーザ情報記憶部１３０には、ユーザ情報２００（後述、図２）が記憶されている。販売者情報記憶部１３１には、販売者情報３００（後述、図３）が記憶されている。履歴データ記憶部１３２には、履歴データ２２０（後述、図２）が記憶されている。電子書籍データ記憶部１３３には、電子書籍データ３１０（後述、図３）が記憶されている。録音データ記憶部１３４には、録音データ３１１（後述、図３）が記憶されている。
【００１７】
タイトル選択画面生成部１４０は、ユーザ端末１００から希望データを含むユーザ情報２００を取得し、取得した希望データ２１０のうち希望スコアを含む各項目の条件に対応する項目を有する電子書籍データ３１０を電子書籍データ記憶部１３３から取得し、取得した電子書籍データ３１０を参照し対応する販売者についての販売者情報３００を販売者情報記憶部１３１から取得し、取得した販売者情報３００のうちの評価スコアが抽出した希望スコアの数値条件をみたす場合に、評価スコアを有する販売者情報３００と取得した電子書籍データ３１０とに基づいて、タイトル選択画面７００を生成する。タイトル選択画面提供部１５０は、生成されたタイトル選択画面７００をユーザ端末１００に提供する。
【００１８】
声優選択画面生成部１６０は、ユーザ端末１００がタイトル選択画面７００に含まれる選択タブ７４０の押下入力をユーザから受付けた場合に、ユーザ端末１００から要求された声優選択画面１０００の生成に要する電子書籍データ３１０を電子書籍データ記憶部１３３から取得し、取得した電子書籍データ３１０に含まれる録音データ３１１のうちユーザに選択された電子書籍についての録音データ３１１を録音データ記憶部１３４から取得し、取得した電子書籍データ３１０と録音データ３１１とに基づいて声優選択画面１０００を生成する。声優選択画面１０００は、電子書籍を朗読する複数の声優の何れかをユーザが選択可能とするために、ユーザ端末の１００のディスプレイ１００Ａに表示される。声優選択画面提供部１７０は、生成した声優選択画面１０００をユーザ端末１００に提供する。
【００１９】
電子書籍画面生成部１８０は、ユーザ端末１００から希望データ２１０を含むユーザ情報２００を取得し、取得した希望データ２１０のうち希望スコアを含む各項目の条件に対応する項目を有する電子書籍データ３１０を電子書籍データ記憶部１３３から取得し、取得した電子書籍データ３１０を参照し対応する販売者についての販売者情報３００を販売者情報記憶部１３１から取得し、取得した販売者情報３００のうちの評価スコアが抽出した希望スコアの数値条件をみたす場合に、評価スコアを有する販売者情報３００と取得した電子書籍データ３１０とに基づいて、電子書籍画面１３００を生成する。また、電子書籍画面生成部１８０は、生成した電子書籍画面１３００をユーザ端末１００に提供する。
【００２０】
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２１】
図２（ａ）に示されるように、ユーザ情報２００は、ユーザＩＤと、ユーザ名と、連絡先と、希望データ２１０と、履歴データ２２０などのデータ項目により構成される。
【００２２】
ユーザＩＤは、管理サーバ１２０が、ユーザを識別するための符号を示す。ユーザ名は、ユーザの氏名を示す。連絡先は、ユーザの連絡先を示す。希望データ２１０は、ユーザ端末１００がユーザから入力を受け付けることで取得する、ユーザが視聴を希望する電子書籍についての条件を示す（詳細は後述する）。
【００２３】
図２（ｂ）は、本発明の一実施の形態における管理サーバ１２０のユーザ情報記憶部１３０に記憶されているユーザ情報２００に含まれる希望データ２１０の構成例の概要を示す図である。希望データ２１０は、ユーザＩＤ、希望カテゴリ、希望ページ数、希望年齢、希望スコア等の情報を示す。
【００２４】
「希望カテゴリ」は、ユーザが視聴を希望する電子書籍のカテゴリを示す。例えば、希望カテゴリは、絵本、漫画等である。「希望ページ数」は、ユーザが視聴を希望する電子書籍のページ数を示す。例えば、希望ページ数は、「１０ページ以下」等とすることができる。「希望年齢」は、ユーザが視聴を希望する電子書籍の対象年齢を示す。例えば、希望年齢は、「３歳」等とすることができる。「希望スコア」は、ユーザが視聴を希望する電子書籍の販売者が有する評価スコアを示す。例えば、希望スコアは、「３．００以上」等とすることができる。
【００２５】
図２（ｃ）は、本発明の一実施の形態における管理サーバ１２０のユーザ情報記憶部１３０に記憶されているユーザ情報２００に含まれる履歴データ２２０の構成例の概要を示す図である。履歴データ２２０は、管理サーバ１２０に接続される複数のユーザ端末１００のそれぞれについて、ユーザＩＤ、電子書籍ＩＤ、プレゼント希望、プレゼント相手、録音参加、録音データ３１１、ユーザがユーザ端末１００を操作して選択した電子書籍の履歴、ユーザが電子書籍に対応して選択した声優の履歴等の情報を含む。
【００２６】
「プレゼント希望」は、ユーザが、電子書籍をプレゼントとして他のユーザに提供することを希望するか否かについての情報を示す。「プレゼント相手」は、ユーザが、電子書籍をプレゼントとして提供することを希望する場合に、プレゼントを提供する相手についてのユーザＩＤを示す。
【００２７】
「録音参加」は、ユーザが、電子書籍に音声を吹き込むことを希望する場合に、録音を行うか否かについての情報を示す。なお、録音参加が「有」となっている場合、電子書籍に付随する録音データ３１１（詳細は後述する）は、ユーザの吹き込んだ音声データを含む。
【００２８】
＜販売者情報記憶部＞
図３（ａ）は、本発明の一実施の形態における管理サーバ１２０の販売者情報記憶部１３１に記憶されている販売者情報３００の構成例の概要を示す図である。図３（ａ）に示されるように、販売者情報３００は、販売者ＩＤと、販売者名と、連絡先と、評価スコアと、電子書籍データ３１０などのデータ項目により構成される。販売者ＩＤは、管理サーバ１２０が、販売者を識別するための符号を示す。販売者名は、販売者の名称を示す。連絡先は、販売者の連絡先を示す。評価スコアは、ユーザ等によってなされた販売者についての評価の数値を示す。評価スコアは、その数値が高いほど販売者の評価が優秀であることを示す。なお、評価スコアの数値は特に限定されないが、例えば、１〜５までの数値で示される。電子書籍データ３１０は、販売者端末１１０が販売者から入力を受け付けることで取得する販売者が販売する電子書籍についての情報を示す（詳細は後述する）。
【００２９】
図３（ｂ）は、本発明の一実施の形態における管理サーバ１２０の販売者情報記憶部１３１に記憶されている販売者情報３００に含まれる電子書籍データ３１０の構成例の概要を示す図である。電子書籍データ３１０は、電子書籍ＩＤ、タイトル、カテゴリ、ページ数、対象年齢、録音データ３１１、電子書籍のコンテンツ内容、等の情報を示す。
【００３０】
「電子書籍ＩＤ」は、管理サーバ１２０が、電子書籍を識別するための符号を示す。「タイトル」は、電子書籍の題号の名称を示す。「カテゴリ」は、電子書籍のカテゴリを示す。例えば、カテゴリは、絵本、漫画等である。「ページ数」は、電子書籍のページ数を示す。例えば、ページ数は、「３０ページ」等とすることができる。「対象年齢」は、電子書籍の対象年齢を示す。例えば、対象年齢は、「１〜２歳」等とすることができる。
【００３１】
録音データ３１１は、販売者端末１１０が販売者から入力を受け付けることで取得する、販売者が販売する電子書籍が有する録音についての情報を示す（詳細は後述する）。
【００３２】
電子書籍のコンテンツ内容は、電子書籍が有するコンテンツの中身を示す（詳細は後述する）。例えば、絵本のコンテンツ内容は、その各ページの絵や文字等の情報を示す。図３（ｃ）は、本発明の一実施の形態における管理サーバ１２０の販売者情報記憶部１３１に記憶されている販売者情報３００に含まれる録音データ３１１の構成例の概要を示す図である。録音データ３１１は、録音ＩＤ、声優ＩＤ、電子書籍ＩＤ、総録音時間、音声データ等の情報を示す。
【００３３】
「録音ＩＤ」は、管理サーバ１２０が、電子書籍に付随している録音を識別するための符号を示す。「声優ＩＤ」は、管理サーバ１２０が、電子書籍に付随している録音を吹き込んだ声優を識別するための符号を示す。「総録音時間」は、電子書籍に付随している録音についての録音時間の合計を示す。「音声データ」は、録音データ３１１に含まれる各録音ＩＤについての音声データの情報を示す。例えば、音声データはＭＰ３等のデータとして記憶される。
【００３４】
＜全体処理＞
図４は、本発明の一実施の形態における全体処理の概要を示す図である。まず、Ｓ４０１にて、管理サーバ１２０はユーザ情報取得処理およびユーザ情報記憶処理（図５で後述する）を行う。次に、Ｓ４０２にて、管理サーバ１２０は販売者情報取得処理および販売者情報記憶処理（図６で後述する）を行う。
【００３５】
次に、Ｓ４０３にて、管理サーバ１２０はタイトル選択画面生成処理およびタイトル選択画面提供処理（図７〜図９で後述する）を行う。次に、Ｓ４０４にて、管理サーバ１２０は声優選択画面生成処理および声優選択画面提供処理（図１０〜図１２で後述する）を行う。次に、Ｓ４０５にて、管理サーバ１２０は電子書籍画面生成処理および電子書籍画面提供処理（図１３〜図１６で後述する）を行う。
【００３６】
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイ１００Ａに表示させる。
【００３７】
その後、ユーザが本発明に係る電子書籍システム１０を初めて利用する場合、または、希望データ２１０または履歴データ２２０を変更（再選択）する場合、Ｓ５０３にて、ユーザ端末１００は、ユーザ情報２００の入力をユーザから受け付ける。なお、この際ユーザから受け付けたユーザ情報２００は、希望データ２１０または履歴データ２２０を含む。
【００３８】
次に、Ｓ５０４にて、ユーザ端末１００は、Ｓ５０３で入力を受け付けたユーザ情報２００を管理サーバ１２０に送信する。次に、Ｓ５０５にて、管理サーバ１２０は、Ｓ５０４で送信されたユーザ情報２００を受信することにより、ユーザ情報２００を取得する。
【００３９】
次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。また、管理サーバ１２０は、ユーザ情報２００のうち履歴データ２２０を履歴データ記憶部１３２に記憶する。
【００４０】
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。ユーザが本発明に係る電子書籍システム１０を２回目以降利用する場合、Ｓ５０７にて、ユーザ端末１００はユーザＩＤの入力をユーザから受け付ける。なお、ユーザＩＤは、ユーザ情報２００に含まれる。
【００４１】
次に、Ｓ５０８にて、ユーザ端末１００は、Ｓ５０７で入力を受け付けたユーザＩＤを管理サーバ１２０に送信する。その後、Ｓ５０９にて、管理サーバ１２０は、Ｓ５０８で送信されたユーザＩＤのキーに対応するユーザ情報２００をユーザ情報記憶部１３０から取得する。
【００４２】
＜販売者情報記憶処理＞
図６（ａ）は、本発明の一実施の形態における販売者情報記憶処理の概要を示す図である。以下、管理サーバ１２０が、販売者情報３００を記憶する方法について説明する。まず、Ｓ６０１にて、管理サーバ１２０は、販売者情報入力画面を販売者端末１１０に提供する。次に、Ｓ６０２にて、販売者端末１１０は、販売者情報入力画面をディスプレイ１１０Ａに表示させる。
【００４３】
その後、販売者が本発明に係る電子書籍システム１０を初めて利用する場合、または、電子書籍データ３１０を変更（更新）する場合、Ｓ６０３にて、販売者端末１１０は販売者情報３００の入力を販売者から受け付ける。次に、Ｓ６０４にて、販売者端末１１０は、Ｓ６０３で入力を受け付けた販売者情報３００を管理サーバ１２０に送信する。
【００４４】
次に、Ｓ６０５にて、管理サーバ１２０は、Ｓ６０４で送信された販売者情報３００を受信することにより、販売者情報３００を取得する。次に、Ｓ６０６にて、管理サーバ１２０は、受信した販売者情報３００に販売者ＩＤを付して、Ｓ６０３にて入力を受け付けた販売者情報３００を販売者情報記憶部１３１に記憶する。また、管理サーバ１２０は、販売者情報３００のうち電子書籍データ３１０を電子書籍データ記憶部１３３に記憶する。
【００４５】
＜販売者情報取得処理＞
図６（ｂ）は、本発明の一実施の形態における販売者情報取得処理の概要を示す図である。以下、管理サーバ１２０が、販売者情報３００を取得する方法について説明する。販売者が本発明に係る電子書籍システム１０を２回目以降利用する場合、Ｓ６０７にて、販売者端末１１０は販売者ＩＤの入力を販売者から受け付ける。なお、販売者ＩＤは、販売者情報３００に含まれる。
【００４６】
次に、Ｓ６０８にて、販売者端末１１０は、Ｓ６０７で入力を受け付けた販売者ＩＤを管理サーバ１２０に送信する。その後、Ｓ６０９にて、管理サーバ１２０は、Ｓ６０８で送信された販売者ＩＤのキーに対応する販売者情報３００を販売者情報記憶部１３１から取得する。
【００４７】
＜タイトル選択画面＞
図７は、本発明の一実施の形態におけるタイトル選択画面７００の概要を示す図である。タイトル選択画面７００は、ユーザが、複数の電子書籍のタイトルの候補から、何れかの電子書籍のタイトルを選択可能とするものである。
【００４８】
図７に示されるように、は、タイトル表示領域７１０と、電子書籍データ表示領域７２０と、戻るタブ７３０と、選択タブ７４０と、を含む。タイトル選択画面７００は、ユーザ端末１００に表示される。
【００４９】
タイトル表示領域７１０は、ユーザによって選択可能な電子書籍のタイトルを表示させる。タイトル表示領域７１０は、後述するＳ８０４、Ｓ８０５の工程によって選定された電子書籍についてのタイトルを表示させる。なお、タイトル表示領域７１０の表示のさせ方については特に限定されない。
【００５０】
また、タイトル表示領域７１０は、ユーザからタップまたはクリックの入力（以下、押下入力と略記する）を受け付けることにより、ユーザが希望した電子書籍を選択するためのタブの機能を有する。
【００５１】
電子書籍データ表示領域７２０は、ユーザからタイトル表示領域７１０の押下入力を受け付けることで選択中となっている電子書籍についての電子書籍データ３１０を表示させる。電子書籍データ３１０は、タイトル選択画面生成部１４０が後述のＳ８０３の工程によって取得する。なお、電子書籍データ表示領域７２０の表示のさせ方については特に限定されない。
【００５２】
戻るタブ７３０は、ユーザが電子書籍を再選択するためのタブを示す。すなわち、戻るタブ７３０がユーザから押下入力を受け付けることにより、管理サーバ１２０は、ユーザの電子書籍の再選択を開始させる。
【００５３】
選択タブ７４０は、ユーザが声優選択画面１０００の生成を声優選択画面生成部１６０に要求するためのタブを示す。すなわち、選択タブ７４０がユーザから押下入力を受け付けることにより、管理サーバ１２０は、声優選択画面１０００の生成を声優選択画面生成部１６０に要求する。
【００５４】
このようにして、管理サーバ１２０は、ユーザが視聴を希望する電子書籍の選択を容易に行わせることができる。また、タイトル選択画面７００が戻るタブ７３０と選択タブ７４０とを有することで、管理サーバ１２０は、ユーザに多層的な電子書籍の選択機会を与え、ユーザがより満足できる電子書籍を提供できる。
【００５５】
＜タイトル選択画面生成処理＞
図８は、本発明の一実施の形態におけるタイトル選択画面生成処理の概要を示す図である。まず、Ｓ８０１にて、管理サーバ１２０のタイトル選択画面生成部１４０は、タイトル選択画面７００の生成に要するユーザ情報２００をユーザ情報記憶部１３０から取得する。
【００５６】
次に、Ｓ８０２にて、タイトル選択画面生成部１４０は、Ｓ８０１で取得したユーザ情報２００に含まれる希望データ２１０のうち希望カテゴリ、希望ページ数、希望年齢、等を抽出する。
【００５７】
次に、Ｓ８０３にて、タイトル選択画面生成部１４０は、Ｓ８０２で抽出した希望カテゴリ、希望ページ数、希望年齢等の条件に対応する電子書籍データ３１０を電子書籍データ記憶部１３３から取得する。
【００５８】
例えば、Ｓ８０２で抽出した希望カテゴリが「絵本」、希望ページ数が「１０ページ以下」、希望年齢が「３歳」の場合、タイトル選択画面生成部１４０は、カテゴリが「絵本」、ページ数が「１０ページ以下」、対象年齢が「３歳」となっている電子書籍データ３１０を電子書籍データ記憶部１３３から取得する。
【００５９】
次に、Ｓ８０４にて、タイトル選択画面生成部１４０は、Ｓ８０３で取得した電子書籍データ３１０を参照し対応する販売者ＩＤを含む販売者情報３００を販売者情報記憶部１３１から取得する。
【００６０】
次に、Ｓ８０５にて、タイトル選択画面生成部１４０は、Ｓ８０４で取得した販売者情報３００のうち評価スコアがＳ８０２で抽出した希望スコアの数値条件をみたしているか否かを判定する。評価スコアが希望スコアの数値条件をみたしている場合、管理サーバ１２０は、工程Ｓ８０６へ進行する。評価スコアが希望スコアの数値条件をみたしていない場合、管理サーバ１２０は、本工程を終了する。
【００６１】
Ｓ８０６にて、タイトル選択画面生成部１４０は、Ｓ８０３で取得した電子書籍データ３１０と販売者情報３００とに基づいて、タイトル選択画面７００を生成する。すなわち、工程Ｓ８０３によりユーザの希望条件をみたすものとして選定され、且つ、工程Ｓ８０５によりユーザの希望スコアをみたす販売者のものとして選定された電子書籍について、タイトルをタイトル表示領域７１０に表示させることにより、タイトル選択画面生成部１４０は、タイトル選択画面７００を生成する。
【００６２】
次に、Ｓ８０７にて、タイトル選択画面生成部１４０は、Ｓ８０６で生成したタイトル選択画面７００の提供をタイトル選択画面提供部１５０に要求する。このように、ユーザの希望条件に適合した電子書籍を選定したうえでユーザに選択させることで、管理サーバ１２０は、効率良い電子書籍の選択をユーザに行わせることができる。
【００６３】
＜タイトル選択画面提供処理＞
図９は、本発明の一実施の形態におけるタイトル選択画面提供処理の構成例の概要を示す図である。まず、Ｓ９０１にて、管理サーバ１２０のタイトル選択画面提供部１５０は、Ｓ８０７で要求されたタイトル選択画面７００の提供リクエストを受け付ける。
【００６４】
次に、Ｓ９０２にて、タイトル選択画面提供部１５０は、Ｓ８０６で生成されたタイトル選択画面７００を提供したいユーザＩＤに対応するユーザ情報２００をユーザ情報記憶部１３０から抽出する。次に、Ｓ９０３にて、タイトル選択画面提供部１５０は、タイトル選択画面７００をユーザ端末１００に提供する。
【００６５】
次に、Ｓ９０４にて、ユーザ端末１００は、Ｓ９０３で管理サーバ１２０から提供されたタイトル選択画面７００を、ディスプレイ１００Ａに表示させる。その後、ユーザ端末１００は、ユーザからタイトル表示領域７１０の押下入力を受け付けることにより、ユーザが希望した電子書籍を選択する。
【００６６】
次に、Ｓ９０５にて、ユーザ端末１００は、ユーザから選択タブ７４０の押下入力を受付けたか否かを判定する。ユーザから選択タブ７４０の押下入力を受付けた場合、ユーザ端末１００は、工程Ｓ９０６へ進行する。ユーザから選択タブ７４０の押下入力を受付けない場合、ユーザ端末１００は、工程Ｓ９０７へ進行する。
【００６７】
Ｓ９０６にて、ユーザ端末１００は、声優選択指示を管理サーバ１２０に送信する。その後、管理サーバ１２０は、声優選択画面１０００の生成を声優選択画面生成部１６０に要求する次に、Ｓ９０７にて、ユーザ端末１００は、ユーザから戻るタブ７３０の押下入力を受付けたか否かを判定する。ユーザから戻るタブ７３０の押下入力を受付けた場合、ユーザ端末１００は、工程Ｓ９０８へ進行する。ユーザから戻るタブ７３０の押下入力を受付けない場合、ユーザ端末１００は、本工程を終了する。
【００６８】
工程Ｓ９０８にて、ユーザ端末１００は、再選択指示を管理サーバ１２０に送信する。その後、管理サーバ１２０は、再選択を行うため工程Ｓ４０１へ進行し、以降Ｓ４０３までを行う。このようにして、管理サーバ１２０は、ユーザが視聴を希望する電子書籍の選択を容易に行わせることができる。また、タイトル選択画面７００が戻るタブ７３０と選択タブ７４０とを有することで、管理サーバ１２０は、ユーザに多層的な電子書籍の選択機会を与え、ユーザがより満足できる電子書籍を提供できる。
【００６９】
＜声優選択画面＞
図１０は、本発明の一実施の形態における声優選択画面１０００の概要を示す図である。図１０に示されるように、声優選択画面１０００は、声優表示領域１０１０と、録音データ表示領域１０２０と、戻るタブ１０３０と、決定タブ１０４０と、を含む。声優選択画面１０００は、ユーザ端末１００に表示される。
【００７０】
声優表示領域１０１０は、ユーザによって選択される電子書籍に付随している音声を担当する声優を表示させる。声優表示領域１０１０は、Ｓ９０４、Ｓ９０５の工程によって選択された電子書籍に付随している音声を担当する声優を表示させる。なお、声優表示領域１０１０の表示のさせ方については特に限定されない。
【００７１】
また、声優表示領域１０１０は、ユーザから押下入力を受け付けることにより、ユーザが希望した声優を選択するためのタブの機能を有する。
【００７２】
録音データ表示領域１０２０は、ユーザから声優表示領域１０１０の押下入力を受け付けることで選択中となっている声優についての録音データ３１１を表示させる。録音データ３１１は、声優選択画面生成部１６０が後述のＳ１１０３の工程によって取得する。なお、録音データ表示領域１０２０の表示のさせ方については特に限定されない。
【００７３】
戻るタブ１０３０は、ユーザが電子書籍または声優を再選択するためのタブを示す。すなわち、戻るタブ１０３０がユーザから押下入力を受け付けることにより、管理サーバ１２０は、ユーザの電子書籍または声優の再選択を開始させる。
【００７４】
決定タブ１０４０は、ユーザが電子書籍画面１３００の生成を電子書籍画面生成部１８０に要求するためのタブを示す。すなわち、決定タブ１０４０がユーザから押下入力を受け付けることにより、管理サーバ１２０は、電子書籍画面１３００の生成を電子書籍画面生成部１８０に要求する。
【００７５】
このようにして、管理サーバ１２０は、ユーザが視聴を希望する電子書籍に付随する声優の選択を容易に行わせることができる。また、声優選択画面１０００が戻るタブ１０３０と決定タブ１０４０とを有することで、管理サーバ１２０は、ユーザに多層的な電子書籍に付随する声優の選択機会を与え、ユーザがより満足できる電子書籍を提供できる。
【００７６】
＜声優選択画面生成処理＞
図１１は、本発明の一実施の形態における声優選択画面生成処理の概要を示す図である。まず、Ｓ１１０１にて、管理サーバ１２０の声優選択画面生成部１６０は、Ｓ９０６で要求された声優選択画面１０００の生成リクエストを受け付け、生成に要する電子書籍データ３１０を電子書籍データ記憶部１３３から取得する。
【００７７】
次に、Ｓ１１０２にて、声優選択画面生成部１６０は、Ｓ１１０１で取得した電子書籍データ３１０に含まれる録音データ３１１を録音データ記憶部１３４から取得する。次に、Ｓ１１０３にて、声優選択画面生成部１６０は、Ｓ１１０１で取得した電子書籍データ３１０と、Ｓ１１０２で取得した録音データ３１１とに基づいて声優選択画面１０００を生成する。
【００７８】
例えば、Ｓ１１０１で取得した電子書籍データ３１０に含まれるタイトル、カテゴリ、ページ数、および、Ｓ１１０２で取得した録音データ３１１に含まれる声優ＩＤ、ユーザＩＤ等の情報を用いて、声優表示領域１０１０と録音データ表示領域１０２０とを生成することによって、声優選択画面１０００を生成する。
【００７９】
次に、Ｓ１１０４にて、声優選択画面生成部１６０は、声優選択画面１０００の提供を声優選択画面提供部１７０に要求する。
【００８０】
＜声優選択画面提供処理＞
図１２は、本発明の一実施の形態における声優選択画面提供処理の構成例の概要を示す図である。まず、Ｓ１２０１にて、管理サーバ１２０の声優選択画面提供部１７０は、Ｓ１１０４で要求された声優選択画面１０００の提供リクエストを受け付ける。
【００８１】
次に、Ｓ１２０２にて、声優選択画面提供部１７０は、Ｓ１１０３で生成された声優選択画面１０００を提供したいユーザＩＤに対応するユーザ情報２００をユーザ情報記憶部１３０から抽出する。次に、Ｓ１２０３にて、声優選択画面提供部１７０は、声優選択画面１０００をユーザ端末１００に提供する。
【００８２】
次に、Ｓ１２０４にて、ユーザ端末１００は、Ｓ１２０３で管理サーバ１２０から提供された声優選択画面１０００を、ユーザ端末１００のディスプレイ１００Ａに表示させる。この声優選択画面１０００では、履歴データ２２０に記憶されている情報に基づいて、操作されているユーザ端末１００で、今回、選択されている書籍について、過去の所定期間内に選択された回数が所定回数以上である声優を、推薦声優として表示することも可能である。さらに、履歴データ２２０に記憶されている情報に基づいて、今回、選択されている書籍について、複数のユーザ端末１００で過去に所定期間内に選択された回数が所定回数以上である声優を、人気声優として表示することも可能である。所定期間としては、例えば、１ヶ月、３か月、１年等の何れでもよい。所定回数は、１００回、２００回、３００回等の何れでもよい。
【００８３】
さらに、声優選択画面１０００で声優を選択する過程で、声優が実際に書籍を読んでいる音声の一部を出力部１００Ｂで再生してユーザが確認した後、ユーザが決定タブ１０４０を操作して声優を決定できるようにしてもよい。その後、ユーザ端末１００は、ユーザから声優表示領域１０１０の押下入力を受け付けることにより、ユーザが希望した声優の録音データ３１１を有する電子書籍を選択する。
【００８４】
次に、Ｓ１２０５にて、ユーザ端末１００は、ユーザから決定タブ１０４０の押下入力を受付けたか否かを判定する。ユーザから決定タブ１０４０の押下入力を受付けた場合、ユーザ端末１００は、工程Ｓ１２０６へ進行する。ユーザから決定タブ１０４０の押下入力を受付けない場合、ユーザ端末１００は、工程Ｓ１２０７へ進行する。
【００８５】
Ｓ１２０６にて、ユーザ端末１００は、電子書籍生成指示を管理サーバ１２０に送信する。その後、管理サーバ１２０は、電子書籍画面１３００の生成を電子書籍画面生成部１８０に要求する。
【００８６】
Ｓ１２０７にて、ユーザ端末１００は、ユーザから戻るタブ１０３０の押下入力を受付けたか否かを判定する。ユーザから戻るタブ１０３０の押下入力を受付けた場合、ユーザ端末１００は、工程Ｓ１２０８へ進行する。ユーザから戻るタブ１０３０の押下入力を受付けない場合、ユーザ端末１００は、本工程を終了する。Ｓ１２０８にて、ユーザ端末１００は、再選択指示を管理サーバ１２０に送信する。その後、管理サーバ１２０は、再選択を行うため工程Ｓ８０１へ進行し、以降Ｓ１２０５までを行う。
【００８７】
このようにして、管理サーバ１２０は、ユーザが視聴を希望する電子書籍に付随する声優の選択を容易に行わせることができる。また、声優選択画面１０００が戻るタブ１０３０と決定タブ１０４０とを有することで、管理サーバ１２０は、ユーザに多層的な電子書籍に付随する声優の選択機会を与え、ユーザがより満足できる電子書籍を提供できる。
【００８８】
＜電子書籍画面＞
図１３は、本発明の一実施の形態における電子書籍画面１３００の概要を示す図である。図１３に示されるように、電子書籍画面１３００は、コンテンツ表示領域１３１０と、操作用アイコン表示領域１３２０とを含む。電子書籍画面１３００は、ユーザ端末１００に表示される。
【００８９】
コンテンツ表示領域１３１０は、ユーザによって選択された電子書籍の内容であるコンテンツを表示させる。コンテンツ表示領域１３１０は、例えば、絵本や漫画等の電子書籍の各ページを先頭からページ毎に表示させる。なお、声優表示領域１０１０の表示のさせ方については特に限定されない。
【００９０】
操作用アイコン表示領域１３２０は、コンテンツ表示領域１３１０に表示されている電子書籍のページを操作するためのアイコンを表示させる。操作用アイコン表示領域１３２０は、例えば、絵本や漫画等の電子書籍の各ページを進めたり戻したりする操作の押下入力を受け付ける。なお、操作用アイコン表示領域１３２０の表示のさせ方については特に限定されない。
【００９１】
＜電子書籍画面生成処理＞
図１４は、本発明の一実施の形態における電子書籍画面生成処理の概要を示す図である。まず、Ｓ１４０１にて、管理サーバ１２０の電子書籍画面生成部１８０は、Ｓ１２０６で要求された電子書籍画面１３００の生成リクエストを受け付け、生成に要する電子書籍データ３１０を電子書籍データ記憶部１３３から取得する。
【００９２】
次に、Ｓ１４０２にて、電子書籍画面生成部１８０は、Ｓ１４０１で取得した電子書籍データ３１０に含まれる録音データ３１１のうち、Ｓ１２０５で決定された声優に対応した録音データ３１１を、録音データ記憶部１３４から取得する。
【００９３】
次に、Ｓ１４０３にて、電子書籍画面生成部１８０は、Ｓ１４０１で取得した電子書籍データ３１０と、Ｓ１４０２で取得した録音データ３１１とに基づいて電子書籍画面１３００を生成する。
【００９４】
例えば、Ｓ１４０１で取得した電子書籍データ３１０に含まれるコンテンツ内容、および、Ｓ１４０２で取得した録音データ３１１に含まれる音声データを用いて、コンテンツ表示領域１３１０と操作用アイコン表示領域１３２０とを生成することによって、電子書籍画面１３００を生成する。
【００９５】
次に、Ｓ１４０４にて、電子書籍画面生成部１８０は、電子書籍画面１３００の提供を電子書籍画面提供部１９０に要求する。
【００９６】
＜電子書籍画面提供処理＞
図１５は、本発明の一実施の形態における電子書籍画面提供処理の構成例の概要を示す図である。まず、Ｓ１５０１にて、管理サーバ１２０の電子書籍画面提供部１９０は、Ｓ１４０４で要求された電子書籍画面１３００の提供リクエストを受け付ける。
【００９７】
次に、Ｓ１５０２にて、電子書籍画面提供部１９０は、Ｓ１４０３で生成された電子書籍画面１３００を提供したいユーザＩＤに対応するユーザ情報２００をユーザ情報記憶部１３０から抽出する。
【００９８】
次に、Ｓ１５０３にて、電子書籍画面提供部１９０は、ユーザ情報２００のうちプレゼント希望が「有」となっているか否かを判定する。プレゼント希望が「有」となっている場合、電子書籍画面提供部１９０は、工程Ｓ１６０１（後述、図１６）へ進行する。プレゼント希望が「有」となっていない場合、電子書籍画面提供部１９０は、工程Ｓ１５０４へ進行する。
【００９９】
Ｓ１５０４にて、電子書籍画面提供部１９０は、電子書籍画面１３００の１ページ目をユーザ端末１００に提供する。
【０１００】
次に、Ｓ１５０５にて、ユーザ端末１００は、Ｓ１５０４で管理サーバ１２０から提供された電子書籍画面１３００の１ページ目を、ディスプレイ１００Ａに表示させる。次に、Ｓ１５０６にて、電子書籍画面提供部１９０は、電子書籍画面１３００の１ページ目に付随する第１の音声をユーザ端末１００に提供する。
【０１０１】
次に、Ｓ１５０７にて、ユーザ端末１００は、Ｓ１５０５で管理サーバ１２０から提供された録音データの第１の音声を、出力部（再生部)１００Ｂにより再生させる。なお、出力部１００Ｂは、第１の音声を再生させるためのスピーカー、イヤホン等を含む。
【０１０２】
工程Ｓ１５０７の処理中におけるユーザ端末１００の表示例が、図１７に示されている。コンテンツ表示領域１３１０に、電子書籍画面１３００の１ページ目３０が表示された例を示す。また、コンテンツ表示領域１３１０には、窓部３１が設けられている。窓部３１内には、選択された声優（書籍を読む声優）の表情を映像撮影した画像３２が表示される。さらに、操作用アイコン表示領域１３２０には、表示ボタン３３及び非表示ボタン３４が設けられている。ユーザが表示ボタン３３を操作すると、窓部３１及び画像３２が表示され、ユーザが非表示ボタン３４を操作されると、窓部３１及び画像３２は表示されない。
【０１０３】
また、工程Ｓ１５０７の処理中、操作用アイコン表示領域１３２０に、声優表示領域１０１０及び決定タブ１０４０が表示されてもよい。声優表示領域１０１０及び決定タブ１０４０は、図１０を参照して説明したものと同様の機能及び役割をもつ。工程Ｓ１５０７で音声の再生中に、ユーザは、声優表示領域１０１０を見て決定タブ１０４０を操作することで、電子書籍を朗読する声優を変更することが可能である。したがって、電子書籍を朗読する声優の音声データをユーザ端末１００へ提供中に、電子書籍の内容と、再生される音声データとがユーザのイメージに合うように、声優を変更可能である。
【０１０４】
Ｓ１５０８にて、電子書籍画面提供部１９０は、Ｓ１５０４で電子書籍画面１３００の１ページ目をユーザ端末１００に提供してから所定時間が経過した後に、電子書籍画面１３００の２ページ目をユーザ端末１００に提供する。また、電子書籍画面提供部１９０は、電子書籍画面１３００の２ページ目に付随する第２の音声をユーザ端末１００に提供する。なお、所定時間は、例えば、「１０秒」とするが特に限定されない。
【０１０５】
その後、ユーザ端末１００は、管理サーバ１２０から提供された電子書籍画面１３００の２ページ目を、ディスプレイ１００Ａに表示させる。また、ユーザ端末１００は、管理サーバ１２０から提供された第２の音声を、出力部１００Ｂにより再生させる。
【０１０６】
以降、Ｓ１５０９にて、電子書籍画面提供部１９０は、電子書籍画面１３００のｎページ目および電子書籍画面１３００のｎページ目に付随する第ｎの音声をユーザ端末１００に提供することを、ｎを自然数として繰り返す。
【０１０７】
このようにして、電子書籍画面１３００のページが自動的に捲られるとともに、各画面に付随する音声を自動再生させることで、例えば、幼児への読み聞かせを自動で行わせることが可能な電子書籍を提供できる。
【０１０８】
＜電子書籍画面プレゼント提供処理＞
図１６は、本発明の一実施の形態における電子書籍画面プレゼント提供処理の構成例の概要を示す図である。まず、Ｓ１６０１にて、管理サーバ１２０の電子書籍画面提供部１９０は、Ｓ１５０３で判定されたユーザ情報２００のうちプレゼント希望が「有」となっている場合、履歴データ２２０に含まれる電子書籍ＩＤと対応するプレゼント相手のユーザＩＤを抽出する。
【０１０９】
次に、Ｓ１６０２にて、電子書籍画面提供部１９０は、Ｓ１６０１で抽出したプレゼント相手のユーザＩＤに対応するユーザのユーザ情報２００をユーザ情報記憶部１３０から抽出する。次に、Ｓ１６０３にて、電子書籍画面提供部１９０は、Ｓ１６０２で抽出したユーザ情報２００に含まれる電子書籍ＩＤを参照し、Ｓ１４０３で生成した電子書籍画面１３００を抽出する。次に、Ｓ１６０４にて、電子書籍画面提供部１９０は、電子書籍画面１３００の１ページ目をＳ１６０１で抽出したプレゼント相手であるユーザ端末１００に提供する。
【０１１０】
次に、Ｓ１６０５にて、プレゼント相手であるユーザ端末１００は、Ｓ１６０４で管理サーバ１２０から提供された電子書籍画面１３００の１ページ目を、ディスプレイ１００Ａに表示させる。次に、Ｓ１６０６にて、電子書籍画面提供部１９０は、電子書籍画面１３００の１ページ目に付随する第１の音声をプレゼント相手であるユーザ端末１００に提供する。次に、Ｓ１６０７にて、プレゼント相手であるユーザ端末１００は、Ｓ１６０５で管理サーバ１２０から提供された第１の音声を、出力部１００Ｂにより再生させる。
【０１１１】
Ｓ１６０８にて、電子書籍画面提供部１９０は、Ｓ１６０４で電子書籍画面１３００の１ページ目をユーザ端末１００に提供してから所定時間が経過した後に、電子書籍画面１３００の２ページ目をプレゼント相手であるユーザ端末１００に提供する。また、電子書籍画面提供部１９０は、電子書籍画面１３００の２ページ目に付随する第２の音声をプレゼント相手であるユーザ端末１００に提供する。なお、所定時間は、例えば、「１０秒」とするが特に限定されない。
【０１１２】
その後、プレゼント相手であるユーザ端末１００は、管理サーバ１２０から提供された電子書籍画面１３００の２ページ目を、ディスプレイ１００Ａに表示させる。また、プレゼント相手であるユーザ端末１００は、管理サーバ１２０から提供された第２の音声を、出力部１００Ｂにより再生させる。
【０１１３】
以降、Ｓ１６０９にて、電子書籍画面提供部１９０は、電子書籍画面１３００のｎページ目および電子書籍画面１３００のｎページ目に付随する第ｎの音声をプレゼント相手であるユーザ端末１００に提供することを、ｎを自然数として繰り返す。
【０１１４】
このようにして、ユーザが他のユーザに電子書籍のプレゼントを希望している場合に、当該プレゼント相手のユーザに対して電子書籍画面１３００を提供できる。その後、当該プレゼント相手のユーザの有する端末のページが自動的に捲られるとともに、各画面に付随する音声を自動再生させることで、例えば、幼児への読み聞かせを自動で行わせることが可能な電子書籍を提供できる。
【０１１５】
＜本実施の形態の効果＞
以上説明した本発明の実施の形態によれば、管理サーバ１２０は、画面のページが自動的に捲られるとともに、各画面に付随する音声を自動再生させることで、例えば、幼児への読み聞かせを自動で行わせることが可能な電子書籍を提供できる。また、深刻な保育士不足への一助として、業務サポートになる電子書籍を提供できる。
【０１１６】
以上、本発明者によってなされた発明を実施の形態に基づき具体的に説明したが、本発明は前記実施の形態に限定されるものではなく、その要旨を逸脱しない範囲で種々変更可能である。たとえば、ユーザ端末は、スマートフォン以外にも、ノート型ＰＣや、タブレット端末等の様々な形態のユーザ端末を全て含むものである。
【０１１７】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。例えば、タイトル選択画面７００及び声優選択画面１０００は、ディスプレイ１００Ａに別々に表示されてもよいし、ディスプレイ１００Ａに同時に表示されてもよい。声優選択画面１０００は、声優変更画面を兼ねている。工程Ｓ９０３は、第１ステップの一例であり、工程Ｓ１２０３は、第２ステップ及び第４ステップの一例である。工程Ｓ１５０６及び工程Ｓ１５０７は、第３ステップの一例である。
【０１１８】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１１９】
１００…ユーザ端末
１１０…販売者端末
１２０…管理サーバ
１３０…ユーザ情報記憶部
１３１…販売者情報記憶部
１３２…履歴データ記憶部
１３３…電子書籍データ記憶部
１３４…録音データ記憶部
１４０…タイトル選択画面生成部
１５０…タイトル選択画面提供部
１６０…声優選択画面生成部
１７０…声優選択画面提供部
１８０…電子書籍画面生成部
１９０…電子書籍画面提供部
２００…ユーザ情報
２１０…希望データ
２２０…履歴データ
３００…販売者情報
３１０…電子書籍データ
３１１…録音データ
７００…タイトル選択画面
１０００…声優選択画面
１３００…電子書籍画面
【要約】      （修正有）【課題】電子書籍の録音データの再生中に、電子書籍の内容と、再生される録音データとがユーザのイメージに合うように、声優を変更可能な管理サーバ及び電子書籍提供方法を提供する。【解決手段】電子書籍提供システム１０において、ユーザ端末１００にネットワークを介して接続される管理サーバ１２０であって、電子書籍を選択可能なタイトル選択画面をユーザ端末に提供するタイトル選択画面提供部１５０と、電子書籍を朗読する声優を選択可能な声優選択画面をユーザ端末に提供する声優選択画面提供部１７０と、ユーザ端末で選択された電子書籍を声優が音読する録音データを、ユーザ端末に提供する電子書籍画面提供部１９０と、を有する。電子書籍画面提供部１９０は、ユーザ端末で電子書籍が表示され、かつ、ユーザ端末へ録音データの提供中に、声優の録音データを他の声優の録音データに変更可能な声優変更画面を、ユーザ端末に提供する。【選択図】図１【図１】
0006948044.tif 000002
【図２】
0006948044.tif 000003
【図３】
0006948044.tif 000004
【図４】
0006948044.tif 000005
【図５】
0006948044.tif 000006
【図６】
0006948044.tif 000007
【図７】
0006948044.tif 000008
【図８】
0006948044.tif 000009
【図９】
0006948044.tif 000010
【図１０】
0006948044.tif 000011
【図１１】
0006948044.tif 000012
【図１２】
0006948044.tif 000013
【図１３】
0006948044.tif 000014
【図１４】
0006948044.tif 000015
【図１５】
0006948044.tif 000016
【図１６】
0006948044.tif 000017
【図１７】
0006948044.tif 000018